(57)【特許請求の範囲】
【請求項１】
上下枠側ピボットと上下扉側ピボットとからなり、扉側ベースプレートの面上に第一揺動片を第一支軸にて略回動可能に装着し、さらに第二揺動片を第一揺動片の面上に第二支軸にて略回動可能に装着し、第二揺動片に軸受け部材を連結し、扉の吊り込み後に第一揺動片や第二揺動片を扉側ベースプレート上で水平移動させ、その後固定ねじにて所定の位置にて固定することで枠体に対する扉の位置を前後方向と左右方向に建付け調整可能なピボットヒンジであって、扉側ベースプレートに第一揺動片を第一支軸と第一固定ねじにて装着し、第一揺動片に第二揺動片を第二支軸と第二固定ねじにて装着し、第二揺動片の片端部に調整治具と嵌合する操作部分を設け、第二固定ねじを締め付けて第一固定ねじのみを緩めた状態で操作部分を調整治具にて略回動操作することで前後もしくは左右どちらか片方の調整を実施し、第一固定ねじを締め付けて第二固定ねじのみを緩めた状態で同じ第二揺動片の操作部材を略回動操作することで他方の調整が実施できるように構成したことを特徴とする建付け調整機能付ピボットヒンジ。
【請求項２】
略板状で中央部分に長孔を設け、片端部に湾曲辺を、その逆側に第一支軸挿入孔を備えた形状の第一揺動片を設け、中央位置に異型角孔を有した扉側ベースプレートの水平持ち出し面に第一揺動片と同じ厚みの第一高さ合わせピースを装着し、扉側ベースプレートに第一揺動片を第一支軸にて略回動可能に装着し、同一高さの第一高さ合わせピースと第一揺動片の湾曲辺を同時に締め付けられる位置に第一雌ねじ部を設けて第一固定ねじを螺合し、調整後に任意の位置で第一固定ねじを締め付けることで第一揺動片を固定可能とすることを特徴とする請求項１に記載の建付け調整機能付ピボットヒンジ。
【請求項３】
略板状で中央部分に連結軸固定孔を、片端部に湾曲辺を、その逆側に第二支軸挿入孔と操作部分を備えた形状の第二揺動片を設け、第一揺動片に第二揺動片と同じ厚みの第二高さ合わせピースを装着し、第一揺動片の長孔に連結軸固定孔が重なる配置で第二揺動片を第二支軸にて略回動可能に装着し、同一高さの第二高さ合わせピースと第一揺動片の湾曲辺を同時に締め付けられる位置に第二雌ねじ部を設けて第二固定ねじを螺合し、調整後に任意の位置で第二固定ねじを締め付けることで第二揺動片を固定可能とすることを特徴とする請求項１または２に記載の建付け調整機能付ピボットヒンジ。
【請求項４】
扉側ベースプレートと第一揺動片を第一支軸にて略回動可能に配置する際と、第一揺動片と第二揺動片を第二支軸にて略回動可能に配置する際に、皿ばね若しくはばね座金若しくは樹脂ワッシャを圧縮させた状態で挿入し、両者間に所定以上の摩擦力が発生するように設定し、第一固定ねじや第二固定ねじを緩めた段階においても、扉の自重により発生するモーメント荷重で水平方向に移動しようとする力に対して、そのままの位置を保持するように設定したことを特徴とする請求項１に記載の建付け調整機能付ピボットヒンジ。
【請求項５】
前記第一固定ねじと第二固定ねじに歯付きワッシャと皿ばねを、皿ばねがつば側になる順序で挿入し、かつ歯付きワッシャの歯の向きが高さ合わせピースと湾曲辺の平面向きになるように配置したことを特徴とする請求項１に記載の建付け調整機能付ピボットヒンジ。
【請求項６】
第二揺動片と下部の軸受け部材を連結固定するための連結軸を設け、前記連結軸の中央部上下方向に貫通孔と上下調整用雌ねじ部を配し、該貫通孔を塞がないように第二揺動片と下部の軸受け部材を連結固定し、第二揺動片側から上下調整ねじを該貫通孔を通して上下調整用雌ねじ部に螺合し、上下調整ねじを回すことで扉側下ピボットを持ち上げる構成の上下調整機構を併せ持つことを特徴とする請求項１に記載の建付け調整機能付ピボットヒンジ。
【発明の詳細な説明】
【技術分野】
【０００１】
本発明はドアの建付け調整機能を有するピボットヒンジに関するものである。
【背景技術】
【０００２】
従来からドアの建付け調整機能を有するピボットヒンジは多数あり、その主流となる構成は特開２００６−２７４５７０号広報や特開２００７−２３１５２１号広報や特開２００８−１２１３４２号広報等に報告されている。それらの特徴としては調整機構部分がドアの吊り元側の上下端部に配置されており、扉を閉じたままでの左右前後上下の３次元の建付け調整が可能となる点である。そして、それらの前後と左右への調整の基本構造としては左右調整ねじと前後調整ねじを用い、ベースプレートに対して前後調整部材を前後調整ねじにて位置調整し、その前後調整部材に乗った状態の左右調整部材を左右調整ねじにて位置調整する構成が主流である。
【０００３】
しかし上記の調整機構においては主に扉側ベースプレート若しくは枠側ベースプレートの扉の厚み部分から持ち出された平面部分に前後調整部材や左右調整部材を乗せた構成になり、さらにそれらが単独に移動調整できるように各々の部材に対して調整ねじを配置しなければならないため、どうしても比較的広いスペースが必要になり、コンパクト性において問題が残っていると想定され、さらには部品点数も多くなりコスト面においても高価になりがちである。  
【０００４】
また前記での調整ねじにて建付け調整する構成においては、ねじの回転数に対するピッチ分が移動距離になり、必要とする調整幅を移動させるには調整ねじをかなり回転させなければならない場合も生じる。そして上記で説明したようにピボットヒンジ全体のコンパクト性を追求すると極力ねじ径の小さな調整ねじを用いる必要が生じ、すると益々ねじピッチも小さくなり、調整のためのドライバーを回す回数は増加する傾向になる。さらには調整ねじ頭部の十字ビットも小さなものになるため、重量の重い扉を前後もしくは左右方向に移動調整させようとするとかなりの負荷がかかり、それに負けない程度でドライバーにて強く回すと十字ビットを潰してしまう危険性もある。
【０００５】
またピボットヒンジにおいての軸心の位置は、扉面よりもなるべく手前側に離れたかつ吊り元側に寄った位置に配置された状態が開閉の軌跡としては有利になる。そのため調整機構をなるべく軸心と扉面の間に配置する構成が有効であり、特に左右調整においては左右調整ねじが扉と平行な向きで、その頭部が扉面に非常に近接した配置になる場合が多い。すると握り手部分の太いドライバーなどでは握った状態で手の甲が扉面に当たってしまい、ドライバー自体も斜めにしか調整ねじに押し圧できないような設定になりがちであり、調整しにくいことも改良点としてあげられる。
【０００６】
また上記の調整ねじによる調整方法とは違った構成でのピボットヒンジが特開２０００−２０４８２９号広報に報告されている。その構成は扉側ベースプレートの上に第一揺動片を第一支軸にて水平方向に略回動自在に装着し、さらに第一揺動片の上に第二支軸にて第二揺動片を同じく水平方向に略回動自在に装着し、第一支軸を中心とした略回動操作にて前後かもしくは左右どちらか片方向の調整を実施し、第二支軸を中心とした略回動操作にて他方向の調整を実施し、各々に固定手段を用いて調整後の位置を固定保持するようになっている。
【０００７】
そしてその固定保持の手段としては、第一支軸と第二支軸を共に固定ねじにて構成し、その固定ねじが支点となって略回動動作するように設定しておく。次に第一揺動片の第一支軸から離れた位置に略円弧長孔を形成し、もう一つの固定ねじにて第一揺動片の略円弧長孔を通して扉側プレートと第一揺動片を固定する。また同様に第二揺動片にも略円弧長孔を形成し、もう一つの固定ねじにて第二揺動片の略円弧長孔を通して第一揺動片と第二揺動片を固定する。つまり各々２本の固定ねじにて扉側ベースプレートと第一揺動片を、さらには第一揺動片と第二揺動片を固定する構成になっている。また第一揺動片と第二揺動片の両方にスパナのような操作治具が嵌め合わされる操作部分を形成し、第一揺動片を固定保持する２本の固定ねじを両方とも緩めた状態で操作治具にて前後左右どちらか片方向の調整動作を実施して、その後に両方の固定ねじを締め付け、次に第二揺動片を固定保持する２本の固定ねじを緩めた状態で操作治具にて今度は他方向の調整操作を実施して、その後にやはり両方の固定ねじを締め付けることで軸心の位置を保持するように設定されている。
【特許文献１】特開２００６−２７４５７０号
【特許文献２】特開２００７−２３１５２１号
【特許文献３】特開２００８−１２１３４２号
【特許文献４】特開２０００−２０４８２９号
【発明の開示】
【発明が解決しようとする課題】
【０００８】
しかし上記の調整機構においては、第一揺動片と第二揺動片両方に略円弧長孔を設け、略円弧長孔に固定ねじを通した状態で第一支軸や第二支軸に対して略回動動作させる構成であるため、略円弧長孔の周辺を一定の面形状として形成する必要があり、どうしても第一揺動片や第二揺動片のサイズが大きくなってしまう。その結果扉側ベースプレートに重ね合わせた状態で第一揺動片や第二揺動片が各々の方向に移動するためその範囲はさらに広くなり、ピボットヒンジ全体のサイズをよりコンパクトに形成することにおいては不十分と想定される。また操作治具を嵌め合わせて調整操作を実施する操作部分が第一揺動片と第二揺動片の両方に設けられており、操作部分も同様に調整時に移動するためコンパクト性においてはやはり不利であると共に、それぞれの操作時に操作治具を嵌め変える必要があることも改良の余地があると考えられる。
【０００９】
さらには、第一揺動片および第二揺動片の固定手段が各々２本の固定ねじによるものであり、調整操作としては２本の固定ねじを両方緩めてから調整操作を行い、その後に２本の固定ねじを再度締め付ける必要があり、調整操作での固定ねじの操作を少なくしたほうがさらに簡素化できて良好である。またこの調整時に２本の固定ねじを同時に緩めた状態では、第一揺動片もしくは第二揺動片の左右調整を実施する側においては、扉の自重にて上部ピボットヒンジにおいては戸先側に、下部ピボットヒンジにおいては吊り元側に移動しようとするモーメントの力が掛かり、固定ねじを緩めた段階で勝手に扉が移動してしまうことが懸念される。したがって調整実施段階においては操作治具にて第一揺動片もしくは第二揺動片の位置を保持した状態で固定ねじを締め付ける操作になり、必ず両手を使っての調整と固定の操作が必要になる。
【００１０】
そこで第一揺動片や第二揺動片の形状として、前後もしくは左右の調整における移動域をより狭くできるような手段を備えると共に、第一揺動片と第二揺動片の両方に設けた操作部分を１ヵ所に統合し、全体のサイズとして更にコンパクトな構成を実現することを第一の目的とする。そして特に左右調整時において固定ねじを緩めた状態においても扉の自重により位置がずれる動作を無くし、固定ねじの数量も少なくして、調整時の操作性を向上させることを第二の目的とする。
【課題を解決するための手段】
【００１１】
まず取り付け孔を有した取り付け面と、連続して直角に曲げ込んだ面とさらに直角に曲げ込んだ持ち出し水平面を有する略Z型の扉側ベースプレートを設ける。次に略板状で中央部分に長孔を有し、片端部に湾曲辺を、その逆側に第一支軸挿入孔を備えた形状の第一揺動片を設ける。そして扉側ベースプレートの持ち出し水平面上に第一揺動片を第一支軸にて略回動可能に装着し、扉側ベースプレートに第一揺動片と同じ厚みの第一高さ合わせピースを固定する。このとき第一揺動片の湾曲辺が第一高さ合わせピースの側辺に近接した状態で移動するように設定しておき、第一揺動片と第一高さ合わせピースを同時に締め付けられる位置に第一雌ねじ部を設けて第一固定ねじを螺合する。また第一支軸はつば付きのピン形状の軸にて形成し、両者間にさらに皿ばねを挿入して圧縮した状態で所定以上の摩擦力を有するように装着しておく。
【００１２】
次に、略板状で中央部分に連結軸固定孔を有し、片端部に湾曲辺を、その逆側に第二支軸挿入孔と操作部分を備えた形状の第二揺動片を設ける。そして第二支軸挿入孔を中心に略回動可能な状態で第一揺動片の長孔に連結軸固定孔が重なるように第二揺動片を第一揺動片の面上に配置して第二支軸にて略回動自在に装着し、第一揺動片に第二揺動片と同じ厚みの第二高さ合わせピースを固定する。このとき第二揺動片の湾曲辺が第二高さ合わせピースの側辺に近接した状態で移動するように設定しておき、第二揺動片と第二高さ合わせピースを同時に締め付けられる位置に第二雌ねじ部を設けて第二固定ねじを螺合する。また第二支軸もつば付きのピン形状の軸にて形成し、皿ばねを挿入して圧縮した状態で第一揺動片と第二揺動片が所定以上の摩擦力を有するように装着しておく。
【００１３】
ここで、第二揺動片の操作部分の形状は特に限定されるものではないが、第二揺動片の片端部に上下方向に所定の高さを有し、ドライバー等の棒状又は板状の調整治具と嵌合できるような形状がよい。そして扉側ベースプレートの持ち出し水平面の、第一揺動片や第二揺動片を配置したのとは逆の面に上部軸や下部軸と嵌合する軸受け部材を配置し、第一揺動片と扉側ベースプレートを貫通した状態で連結軸を第二揺動片の連結軸固定孔に差し込んで両者を固定する。したがって扉側ベースプレートの持ち出し水平面の中央部分に連結軸が移動するための略異型角孔を設けておく。すると第二固定ねじは締め付けた状態で、第一固定ねじのみを緩めて操作部分を調整治具にて略回動操作することで第一揺動片を移動調整させるか、もしくは第一固定ねじは締め付けられた状態で、第二固定ねじのみを緩めて同様に操作部分を略回動操作して第二揺動片を移動調整させることで、枠体に対する扉の位置を前後方向もしくは左右方向に調整することが可能になる。
【００１４】
また第一固定ねじや第二固定ねじを装着する際には、歯付きワッシャと皿ばねを、皿ばねが固定ねじのつば側になる順序で挿入し、かつ歯付きワッシャの歯の向きが高さ合わせピースと湾曲辺の端部平面向きになるように配置すると、扉側ベースプレートと第一揺動片をさらには第一揺動片と第二揺動片をさらに強固に固定保持することが可能になる。また第一支軸や第二支軸と共に皿ばねを介在させて略回動自在に装着したことで、第一固定ねじや第二固定ねじを緩めた段階においても、扉の自重により水平方向に移動しようとする荷重に対して、そのままの位置を保持させることができ、調整作業をより容易に実施することが可能となる。
【００１５】
また扉側下部ピボットにおいては、第二揺動片と下部の軸受け部材を連結固定するための連結軸に、中央部上下方向に貫通孔と上下調整用雌ねじ部を設け、該貫通孔を塞がないように第二揺動片と下部の軸受け部材を固定する。そして第二揺動片側から上下調整ねじを該貫通孔を通して上下調整用雌ねじ部に螺合する。すると扉の吊り込み後に上下調整ねじを回すことで扉側下ピボットを持ち上げる構成の上下調整をさらに追加することができる。
【発明の効果】
【００１６】
扉側ベースプレートと第一揺動片と第二揺動片を重ね合わせて各々に略回動操作させる構成を用いたことにより、第一固定ねじか第二固定ねじのどちらか片方を緩めて、棒状の調整治具にて操作部分を略回動動作させて適正な位置に扉を配置し、その後に緩めた方の固定ねじを再度締め付けるだけの操作で前後方向もしくは左右方向の建付け調整を容易に実施することができる。
【００１７】
操作部分は第二揺動片に形成された一箇所のみで、前後と左右の両方向の建付け調整を実施することができ、判り易いと共に第一揺動片に操作部分を必要としない点において、全体のサイズをよりコンパクトに設定することが可能となる。
【００１８】
第一固定ねじと第二固定ねじによる固定手段において、高さ合わせピースを装着した扉側ベースプレートと第一揺動片を第一固定ねじにて同時に締め付け、同様に高さ合わせピースを装着した第一揺動片と第二揺動片を第二固定ねじにて同時に締め付ける構成を用いたため、第一揺動片及び第二揺動片自体の大きさを減少でき、引いては各々の略揺動動作による移動域を小さくできたことで、ピボットヒンジ自体のサイズをコンパクトにすることが可能となる。
【００１９】
第一支軸と第二支軸に皿ばねを介在させて、扉側ベースプレートと第一揺動片、さらには第一揺動片と第二揺動片が互いに所定以上の摩擦力を伴って略回転移動するように設定したことで、特に左右調整時において第一固定ねじもしくは第二固定ねじを緩めた段階においても扉の自重によりモーメント荷重方向に勝手に扉が移動することを阻止でき、さらには調整後にもそのままの位置を保持させることが可能になり、落ち着いてゆっくりと固定ねじを締め付けることができ、非常に簡易な建付け調整作業を提供することが可能になる。
【００２０】
建付け調整機構としては、扉側ベースプレートに重ねた状態での第一揺動片と第二揺動片と第一固定ねじと第二固定ねじと２個の高さ合わせピースのみの非常に少ない部品点数で構成され、組み立ても簡単で安価に提供することができる。
【発明を実施するための最良の形態】
【００２１】
以下図面に基づいて本発明の建付け調整機能付きピボットヒンジの実施の形態を説明する。まずここで、枠体４０の上下に配置されているピボットを上部枠側ピボットと下部枠側ピボットとし、扉３９の上下に配置されているピボットを上部扉側ピボットと下部扉側ピボットとする。図１は本発明の建付け調整機能付きピボットヒンジの下部扉側ピボットの組み付け斜視図であり、図２は同じ状態での上面図である。図３は上部扉側ピボットの組み付け斜視図であり、図４は下部枠側ピボットの、図５は上部枠側ピボットの斜視図である。そして図６は上記各々のピボットを用いて枠体４０に扉３９を吊り込んだ状態の側面図である。
【００２２】
まず図４に示す下部枠側ピボットは、取り付け孔４を有した取り付け面３と水平面２とからなるL型に曲がった形状の枠側下プレート１と、枠側下プレート１の水平面２に上向きに起立した下部軸５から構成される。また図５に示す上部枠側ピボットも同様に、取り付け孔４を有した取り付け面３と水平面２とからなるL型に曲がった形状の枠側上プレート６と、枠側上プレート６の水平面２に下向きに起立した上部軸７から構成される。そして両者を枠体４０の上下に装着する。次に扉３９の吊り元側上下位置に図１に示す下部扉側ピボットと図３に示す上部扉側ピボットをあらかじめ装着しておく。そして下部枠側ピボットと下部扉側ピボットを、さらには上部枠側ピボットと上部扉側ピボットを嵌め合わせて吊り込み作業を実施することで、全体としては図６に示すような納まりの構成が得られる。また図１と図３に示すように、本実施形態では建付け調整機構は全て上下の扉側ピボットに配置されており、このとき前後調整機構と左右調整機構は上部扉側ピボットと下部扉側ピボットの両方に同じ構成で配置されており、上下調整機構は下部扉側ピボットのみに組み込まれている。そこで調整の機構と動作に関しては以下に図１に示す下部扉側ピボットを元に説明する。
【００２３】
図７は扉側ベースプレート８の上面図で、取り付け孔４を有した取り付け面３と、連続して直角に曲げ込んだ面と、さらに連続して直角に曲げ込んだ水平持ち出し面９から構成された略Z型であり、水平持ち出し面９の中央位置には略異型角孔１０を有し、その横位置に第一支軸挿入孔１１を、逆の横位置には第一雌ねじ部１４を設けておく。次に図８は補助プレート１２の上面図であり、板状で扉側ベースプレート８の水平持ち出し面９と同じ外形をしており、同様に中央位置に略異型角孔１０と円弧状溝１３を備え、その横位置に第一支軸挿入孔１１と逆側に第一雌ねじ部１４を設けておき、扉側ベースプレート８の水平持ち出し面９の上に重ねて固定する。そしてさらに板状の第一高さ合わせピース１５を第一雌ねじ部１４付近にさらに重ねた状態で配置し、図９に示すように３者を完全に一体化する。
【００２４】
ここで図８に示す補助プレート１２は機構上において必須ではないが、扉側ベースプレート８自体の強度の増強要因や、図２に示すようにさらに第一揺動片１６や第二揺動片１７を重ね合わせた後に第一固定ねじ１８や第二固定ねじ１９にて固定する際に、その先端が扉側ベースプレート８の持ち出し水平面９に当接することなく、かつ略回動時に移動可能となるための円弧状溝１３を備えることが可能なため、扉側ベースプレート８と第一高さ合わせピース１５の間に挟みこんだ状態で配することが、板金のプレス加工にて製作する上においては有効である。したがって第一雌ねじ部１４は上記３部品のどの部品に配置されていてもよい。また板金のプレス品にこだわらなければ、鋳造品等で図９の形状のものをそのまま一体で製作してもよい。
【００２５】
図１０は第一揺動片１６の上面図であり、中央位置に左右方向の長孔２０を有し、それを挟んで手前側に第二支軸挿入孔２１を、逆の奥位置に第二雌ねじ部２２を設けた板形状であり、長孔２０に対して横位置に第一支軸挿入孔１１を、逆側の外周部分を湾曲辺２３として形成しておく。次に奥位置の第二雌ねじ部２２付近に第二高さ合わせピース２４を配置して第一揺動片１６と一体化しておく。そして図１や図２に示すように補助プレート１２の上に第一揺動片１６を重ね、第一支軸２５を第一支軸挿入孔１１に通した状態で両者を略回動自在に装着する。このとき第一揺動片１６の湾曲辺２３部分の厚みと第一高さ合わせピース１５の厚みを同じに設定しておき、さらに湾曲辺２３が第一高さ合わせピース１５の側面と第一雌ねじ部１４に近接するように設定しておく。そして第一雌ねじ部１４に第一固定ねじ１８を螺合して第一高さ合わせピース１５と第一揺動片１６を同時に固定する。
【００２６】
また上記実施形態においては、扉側ベースプレート８に対する第一揺動片１６の略回動動作で前後方向の建付け調整を実施する構成であり、図１１はその移動動作を示した軌跡図である。ここで図１１(ｂ)に示す第一揺動片１６の長孔２０が扉面と平行方向に位置している基準位置に対して、第一固定ねじ１８を緩めて第一揺動片１６を第一支軸２５を中心に略回動させることにより、図１１(ａ)や図１１(ｃ)に示すように第一揺動片１６の長孔２０位置を前後方向に移動調整させることが可能になる。このとき湾曲辺２３が第一固定ねじ１８の雄ねじ部側面になるべく近接した状態で略回動動作するように設定しておくと、締め付ける際に第一固定ねじ１８のつば部分を有効に使用することができる。そして移動調整後に任意の位置で第一固定ねじ１８を締め込むことで第一揺動片１６を完全に固定保持することができる。
【００２７】
次に図１２は第二揺動片１７の上面図であり、中央に連結軸固定孔２６を有し、その奥位置外周を湾曲辺２３として形成し、逆の手前側に第二支軸挿入孔２１と操作部分２７を形成しておく。この操作部分２７の形状は特に限定されないが、ドライバー等の棒状又は板状の調整治具２８を嵌合させ易いために、所定の高さと凹部を有しているとよく、図１に示すように板材を両側から曲げて起立させた形状で第二揺動片１７の操作部分２７を形成し、その両起立部分間に調整治具２８を差し込めるようにしておくとよい。また第二揺動片１７の厚みを第二高さ合わせピース２４の厚みと同じに設定しておく。そして第一揺動片１６の上にさらに重ねた状態で第二支軸２９を第二支軸挿入孔２１に差し込んで略回動可能な状態で装着する。このとき連結軸固定孔２６が第一揺動片１６の長孔２０の上に配置され、第二雌ねじ部２２の近辺に第二揺動片１７の湾曲辺２３が位置するようにし、第二固定ねじ１９を第二雌ねじ部２２に螺合して、第一揺動片１６の第二高さ合わせピース２４と第二揺動片１７の湾曲辺２３部分を同時に固定する。
【００２８】
そして連結軸を設けて、積層した状態の扉側ベースプレート８の水平持ち出し面９と補助プレート１２と第一揺動片１６を挟みこんだ状態で、軸受け部材３０と第二揺動片１７を図６に示すように連結固定するのであるが、この連結軸においては上部扉側ピボットと下部扉側ピボットにて形状が違なる。図１３(ａ)は上部連結軸３１の斜視図であり、略円柱状で上下両端が小径部分３２にそして真ん中が大径部分３３になっている。そして上部扉側ピボットにおいては図３に示すように上部の軸受け部材３０と第二揺動片１７の連結軸固定孔２６に上部連結軸３１の両端の小径部分３２を差し込んでカシメる等の手段を用いて完全に固定連結するとよい。このとき大径部分３３の長さを上記積層した全体の厚みより極僅かだけ長く設定しておく。さらに真ん中の大径部分３３を第一揺動片１６の長孔２０にがたつき無く挿入できる寸法にて設定しておく。
【００２９】
また図１３(ｂ)は下部連結軸３４の斜視図であり、同様に略円柱形状で上下が小径部分３２に真ん中が上部連結軸３１と同じ長さの大径部分３３になっているのであるが、さらに中心線上の上下方向に貫通孔を形成し、その中央位置に上下調整用雌ねじ部３５を設けておく。そして上部扉側ピボットと同様に、図６に示すように下部の軸受け部材３０と第二揺動片１７の連結軸固定孔２６に両端の小径部分３２を差し込んで、今度はハトメのように外側に押し広げるようにして完全に固定連結する。すると第二揺動片１７側から上下調整ねじ３６を上下調整用雌ねじ部３５に螺合することで、下部枠側ピボットの下部軸５の先端面を上下調整ねじ３６が押し付けることになり、上下調整が実施できることになる。また上下調整ねじ３６の先端を直接下部軸５に押し当てる構成では、扉３９の開閉動作で上下調整ねじ３６が回ってしまうことが懸念されるため、図６に示すように下部の軸受け部材３０を二重構造にしておくとさらによい。
【００３０】
また第一揺動片１６に対する第二揺動片１７の略回動動作は実施形態では左右方向の調整になり、図１４に示すように第二揺動片１７の連結軸固定孔２６が第一揺動片１６の長孔２０の中央に位置する図１４(ｂ)を基準位置として、第二揺動片１７の略回動操作で図１４(ａ)や図１４(ｃ)に示すように左右調整機能を得ることができる。そしてこの動作においては実際には下部連結軸３４の大径部分３３が第一揺動片１６の長孔２０に沿って直線移動することになるため、図１２に示すように第二揺動片１７の第二支軸挿入孔２１を前後方向に長く形成しておくとよい。そして前述と同様に第二揺動片１７の湾曲辺２３が第二固定ねじ１９の雄ねじ部側面になるべく近接した状態で略回動動作するように設定しておくと、締め付ける際に第二固定ねじ１９のつば部分を有効に使用することができ、移動調整後に任意の位置で第二固定ねじ１９を締め込むことで第二揺動片１７を完全に固定保持することができる。
【００３１】
したがって全体の調整手順としては、先に前後調整を実施する場合は、まず第二固定ねじ１９は締め付けた状態で、第一固定ねじ１８のみを緩めて図１５に示すように調整治具２８にて操作部分２７を略回動操作するだけでよく、上部連結軸３１又は下部連結軸３４によって連結された軸受け部材３０を前後方向に移動調整させ、任意の位置で第一固定ねじ１８を再度締め付けることで前後調整が完了する。また図１５では調整治具２８としてドライバーを用いた状態にて表記しているが、特に調整治具２８の形状に関しては限定されない。そして次に第一固定ねじ１８を締め付けた状態で、第二固定ねじ１９のみを緩めて同様に操作部分２７を略回動操作して第二揺動片１７を移動調整させることで同様に軸受け部材３０を左右方向に移動調整させ、任意の位置で第二固定ねじ１９を再度締め付けることで左右調整が完了する。その結果枠体４０に対する扉３９の位置を前後方向もしくは左右方向に建付け調整することが可能になる。また調整操作においては前後方向と左右方向に順序は無く、どちら側から実施してもよい。そして下部扉側ピボットにおいては、上下調整ねじ３６を回すことで上下方向の調整も可能になる。
【００３２】
ここで重要な点としては、第二支軸２９にて第一揺動片１６と第二揺動片１７を装着した際に、極軽く略回動操作できる状態であると、扉３９を閉めた状態から左右調整を実施しようとして第二固定ねじ１９を緩めると、扉３９の自重によるモーメント荷重が、上部扉側ピボットでは戸先側に、下部扉側ピボットでは吊り元側に掛かり、第二固定ねじ１９を緩めた段階で扉３９が勝手に移動してしまうことが考えられる。するとこのままの構成では専用の角棒のような調整治具２８を別途用意しておき、ドライバーで第二固定ねじ１９を緩めると同時に調整治具２８で適正な位置に調整作業を実施し、そのまま再度固定する必要が生じてしまう。しかしこの操作では別途の調整治具２８が必要であるだけでなく、両手を使った作業になり、調整作業の簡易化という点においてはまだ十分ではない。
【００３３】
そこで、図１や図３に示すように第二支軸挿入孔２１に第二支軸２９を差し込む時に、皿ばね３７かばね座金や若しくは樹脂ワッシャ等を嵌めてから、それらが強く圧縮された状態になるようにカシメるとよい。すると第一揺動片１６と第二揺動片１７との間に所定以上の摩擦力が発生することになり、この摩擦力を上記扉３９の自重によるモーメント荷重より大きく設定しておくと、第二固定ねじ１９を緩めた段階においても扉３９はそのままの位置を保持することになる。またドライバー等の調整治具２８を操作部分２７に嵌め合わせて調整操作するときは、梃子の力が掛かるため調整作業においてはそれほど重くならないため容易に実施可能である。その結果ドライバー一本であわてることなく左右調整を実施することが可能になり、調整の操作性をより向上することができる。
【００３４】
また通常の扉３９の開閉動作だけではなく、戸先に子供がぶら下がったり、扉面に体当たりするような突発的に荷重がかかることも想定しておかなければならない。そこで第一固定ねじ１８や第二固定ねじ１９を装着する際には、歯付きワッシャ３８と皿ばね３７を、皿ばね３７が固定ねじのつば側になる順序で挿入し、かつ歯付きワッシャ３８の歯の向きが両高さ合わせピースと両湾曲辺２３の平面向きになるように配置する。すると締め付け力が少々弱い状態においても皿ばね３７が圧縮されることで歯付きワッシャ３８が第二揺動片１７と第二高さ合わせピース２４の面や第一揺動片１６と第一高さ合わせピース１５の面に同時に食い込むことになり、さらに強固に保持することが可能になる。また上記調整機構は図１に示すようにねじの頭等の凹凸が多いため、図６に示すように樹脂等の化粧カバーを装着しておくとデザイン性も向上させることができる。
【図面の簡単な説明】
【００３５】
【図１】本発明のピボットヒンジの、下部扉側ピボットの斜視図である。
【図２】本発明のピボットヒンジの、下部扉側ピボットの上面図である。
【図３】本発明のピボットヒンジの、上部扉側ピボットの斜視図である。
【図４】本発明のピボットヒンジの、下部枠側ピボットの斜視図である。
【図５】本発明のピボットヒンジの、上部枠側ピボットの斜視図である。
【図６】本発明のピボットヒンジの縦納まり図である。
【図７】本発明のピボットヒンジの、扉側ベースプレートの上面図である。
【図８】本発明のピボットヒンジの、補助プレートの上面図である。
【図９】本発明のピボットヒンジの、扉側ベースプレートに補助プレートと第一高さ合わせピースを重ねて一体化した状態の上面図である。
【図１０】本発明のピボットヒンジの、第一揺動片に第二高さ合わせピースを重ねて一体化した状態の上面図である。
【図１１】本発明のピボットヒンジの、第一揺動片の動作を示す軌跡図である。
【図１２】本発明のピボットヒンジの、第二揺動片の上面図である。
【図１３】本発明のピボットヒンジの、上部連結軸と下部連結軸の斜視図である。
【図１４】本発明のピボットヒンジの、第二揺動片の動作を示す軌跡図である。
【図１５】本発明のピボットヒンジの、下部ピボットヒンジでの調整操作を示す斜視図である。
【符号の説明】
【００３６】
１      枠側下プレート
２      水平面
３      取り付け面
４      取り付け孔
５      下部軸
６      枠側上プレート
７      上部軸
８      扉側ベースプレート
９      水平持ち出し面
１０    略異型角孔
１１    第一支軸挿入孔
１２    補助プレート
１３    円弧状溝
１４    第一雌ねじ部
１５    第一高さ合わせピース
１６    第一揺動片
１７    第二揺動片
１８    第一固定ねじ
１９    第二固定ねじ
２０    長孔
２１    第二支軸挿入孔
２２    第二雌ねじ部
２３    湾曲辺
２４    第二高さ合わせピース
２５    第一支軸
２６    連結軸固定孔
２７    操作部分
２８    調整治具
２９    第二支軸
３０    軸受け部材
３１    上部連結軸
３２    小径部分
３３    大径部分
３４    下部連結軸
３５    上下調整用雌ねじ部
３６    上下調整ねじ
３７    皿ばね
３８    歯付きワッシャ
３９    扉
４０    枠体
【図１】
0006478365.tif 000002
【図２】
0006478365.tif 000003
【図３】
0006478365.tif 000004
【図４】
0006478365.tif 000005
【図５】
0006478365.tif 000006
【図６】
0006478365.tif 000007
【図７】
0006478365.tif 000008
【図８】
0006478365.tif 000009
【図９】
0006478365.tif 000010
【図１０】
0006478365.tif 000011
【図１１】
0006478365.tif 000012
【図１２】
0006478365.tif 000013
【図１３】
0006478365.tif 000014
【図１４】
0006478365.tif 000015
【図１５】
0006478365.tif 000016